(57)【要約】【課題】物品仕分装置１において、複数の搬送ユニット３に跨った物品Ｍをもスムーズに分岐コンベヤライン４に搬出できるようにする。【解決手段】搬送コンベヤライン２のうち仕分箇所よりも搬送上流側に、１又は複数の搬送ユニット３に跨っている１つの物品Ｍに関する情報を検出するための物品位置検出センサ５を配置する。更に、１つの物品Ｍを載せた１又は複数の搬送ユニット３が仕分箇所に到達したときに、物品位置検出センサ５からの形態情報に基づいて、１つの物品Ｍに対応した全ての搬送ユニット３のクロスベルトソータ１１を同期して作動させるコントローラを備える。この場合、搬送コンベヤライン２中の仕分箇所にて、仕分対象となる物品Ｍの長さＬに合わせて各搬送ユニット３のクロスベルトソータ１１を作動でき、例えば複数の搬送ユニット３に跨って載置された物品Ｍでも、スムーズ且つ確実に分岐コンベヤライン４に搬出できる。【選択図】図１
2008120487.tif 000002
【特許請求の範囲】
【請求項１】
搬送コンベヤラインに沿って一列状に並んで搬送される多数の搬送ユニットを備えており、前記各搬送ユニットには、前記搬送コンベヤライン中の仕分箇所にて、前記搬送コンベヤラインと交差する方向に前記搬送ユニット上の物品を送り出す仕分機構を有している物品仕分装置であって、
前記搬送コンベヤラインのうち前記仕分箇所よりも搬送上流側には、１又は複数の搬送ユニットに跨って載置された１つの物品に関する情報を検出するための検出手段が配置されており、
更に、前記１つの物品を載せた前記１又は複数の搬送ユニットが前記仕分箇所に到達したときに、前記検出手段からの情報に基づいて、前記１つの物品に対応した全ての搬送ユニットの仕分機構を同期して作動させる制御手段を備えていることを特徴とする物品仕分装置。
【請求項２】
前記検出手段は、前記各搬送ユニット上の物品の有無を検出するための物品位置検出センサであり、前記制御手段は、前記物品位置検出センサからの検出情報に基づいて前記１つの物品を載せた全ての搬送ユニットを特定し、前記仕分箇所にて、前記特定された全ての搬送ユニットの仕分機構を同期して作動させることを特徴とする請求項１に記載の物品仕分装置。
【請求項３】
前記検出手段は、前記各搬送ユニット上の物品の有無を検出するための物品位置検出センサであり、前記制御手段は、前記物品位置検出センサからの検出情報に基づいて前記１つの物品の始端位置及び終端位置に対応した搬送ユニットを特定し、前記特定された２つの搬送ユニット及びその間にある搬送ユニットの仕分機構を同期して作動させることを特徴とする請求項１に記載の物品仕分装置。
【請求項４】
前記検出手段は、前記１又は複数の搬送ユニット上にある前記１つの物品を撮像する撮像手段であり、前記制御手段は、前記撮像にて得られた画像情報を画像処理して、この画像処理の結果から前記１つの物品の重心位置と大きさとを算出すると共に、前記重心位置と前記大きさとの算出結果に基づいて前記１つの物品を載せた全ての搬送ユニットを特定し、前記仕分箇所にて、前記特定された全ての搬送ユニットの仕分機構を同期して作動させることを特徴とする請求項１に記載の物品仕分装置。
【請求項５】
前記仕分機構は、前記仕分箇所から分岐した分岐コンベヤラインに物品を搬送する無端帯手段を備えており、前記無端帯手段の下部側には、前記搬送コンベヤラインと交差する方向に往復動して前記無端帯手段を作動させる駆動シューが取り付けられている一方、
前記仕分箇所には、前記駆動シューのガイドピンを前記分岐コンベヤラインから離れる方向に案内するための複数の案内プレートが配置されており、前記各案内プレートの延長線上又はその近傍の箇所には、前記ガイドピンを前記案内プレートの方へ送り込む作用姿勢と非作用姿勢とに姿勢変更可能な切換手段が配置されており、
更に、前記各案内プレートは、前記ガイドピンの前記案内プレートに沿っての移動を補助する補助案内手段を備えていることを特徴とする請求項１〜４のうちいずれかに記載の物品仕分装置。
【発明の詳細な説明】
【技術分野】
【０００１】
本願発明は、搬送コンベヤラインに沿って搬送される果実や野菜等の物品を、搬送コンベヤラインと交差する方向に仕分けるのに好適な物品仕分装置に関するものである。
【背景技術】
【０００２】
従来から、この種の物品仕分装置としては、クロスベルト式コンベヤがよく知られている。クロスベルト式コンベヤは、多数の搬送ユニットを一列状に並べて搬送する搬送コンベヤラインと、この搬送コンベヤラインから分岐した少なくとも１つの分岐コンベヤラインとを備えている。各搬送ユニットには、その上面に載置された果実や野菜等の物品を分岐コンベヤラインに向けて送り出すクロスベルトソータが設けられている（例えば特許文献１等参照）。
【０００３】
この場合、各搬送ユニット（クロスベルトソータ）上には１つの物品が載置される。換言すると、１つの搬送ユニットにつき１つの物品が搬送コンベヤラインに沿って運ばれる。そして、搬送コンベヤライン中における所定の仕分箇所（所定の分岐コンベヤラインとの分岐箇所）に、仕分対象となる物品を載せた搬送ユニットが到達すると、クロスベルトソータの作動にて物品が分岐コンベヤラインに向けて送り出されるのである。
【特許文献１】特開２００３−５３２７５号公報
【発明の開示】
【発明が解決しようとする課題】
【０００４】
ところで、物品の長さによっては１つの搬送ユニットに収まらないもの（例えば大根のような長物野菜等）も存在する。この種の物品をクロスベルト式コンベヤにて搬送・仕分したい場合は、当該物品を隣り合う複数の搬送ユニットに跨って載せるという態様が考えられる。
【０００５】
しかし、従来のクロスベルト式コンベヤは、１つの搬送ユニットにつき１つの物品を載せることにしか対応しておらず、１つの物品を隣り合う複数の搬送ユニットに跨って載せることが全く考慮されていないため、複数の搬送ユニットに跨った物品をスムーズに分岐コンベヤラインに送り出すのが難しい。従って、従来のクロスベルト式コンベヤにて搬送・仕分可能な物品は１つの搬送ユニットに収まる大きさのものに限られるから、従来のクロスベルト式コンベヤでは汎用性に欠けるという問題があった。
【０００６】
そこで、本願発明は上記の問題点を解消して、汎用性に富む物品仕分装置を提供することを技術的課題とするものである。
【課題を解決するための手段】
【０００７】
この技術的課題を解決するため、請求項１の発明は、搬送コンベヤラインに沿って一列状に並んで搬送される多数の搬送ユニットを備えており、前記各搬送ユニットには、前記搬送コンベヤライン中の仕分箇所にて、前記搬送コンベヤラインと交差する方向に前記搬送ユニット上の物品を送り出す仕分機構を有している物品仕分装置であって、前記搬送コンベヤラインのうち前記仕分箇所よりも搬送上流側には、１又は複数の搬送ユニットに跨って載置されている１つの物品に関する情報を検出するための検出手段が配置されており、更に、前記１つの物品を載せた前記１又は複数の搬送ユニットが前記仕分箇所に到達したときに、前記検出手段からの情報に基づいて、前記１つの物品に対応した全ての搬送ユニットの仕分機構を同期して作動させる制御手段を備えているというものである。
【０００８】
請求項２の発明は、請求項１に記載の物品仕分装置において、前記検出手段は、前記各搬送ユニット上の物品の有無を検出するための物品位置検出センサであり、前記制御手段は、前記物品位置検出センサからの検出情報に基づいて前記１つの物品を載せた全ての搬送ユニットを特定し、前記仕分箇所にて、前記特定された全ての搬送ユニットの仕分機構を同期して作動させるというものである。
【０００９】
請求項３の発明は、請求項１に記載の物品仕分装置において、前記検出手段は、前記各搬送ユニット上の物品の有無を検出するための物品位置検出センサであり、前記制御手段は、前記物品位置検出センサからの検出情報に基づいて前記１つの物品の始端位置及び終端位置に対応した搬送ユニットを特定し、前記特定された２つの搬送ユニット及びその間にある搬送ユニットの仕分機構を同期して作動させるというものである。
【００１０】
請求項４の発明は、請求項１に記載の物品仕分装置において、前記検出手段は、前記１又は複数の搬送ユニット上にある前記１つの物品を撮像する撮像手段であり、前記制御手段は、前記撮像にて得られた画像情報を画像処理して、この画像処理の結果から前記１つの物品の重心位置と大きさとを算出すると共に、前記重心位置と前記大きさとの算出結果に基づいて前記１つの物品を載せた全ての搬送ユニットを特定し、前記仕分箇所にて、前記特定された全ての搬送ユニットの仕分機構を同期して作動させるというものである。
【００１１】
請求項５の発明は、請求項１〜４のうちいずれかに記載の物品仕分装置において、前記仕分機構は、前記仕分箇所から分岐した分岐コンベヤラインに物品を搬送する無端帯手段を備えており、前記無端帯手段の下部側には、前記搬送コンベヤラインと交差する方向に往復動して前記無端帯手段を作動させる駆動シューが取り付けられている一方、前記仕分箇所には、前記駆動シューのガイドピンを前記分岐コンベヤラインから離れる方向に案内するための複数の案内プレートが配置されており、前記各案内プレートの延長線上又はその近傍の箇所には、前記ガイドピンを前記案内プレートの方へ送り込む作用姿勢と非作用姿勢とに姿勢変更可能な切換手段が配置されており、更に、前記各案内プレートは、前記ガイドピンの前記案内プレートに沿っての移動を補助する補助案内手段を備えているというものである。
【発明の効果】
【００１２】
本願発明によると、搬送コンベヤラインのうち仕分箇所よりも搬送上流側に、１又は複数の搬送ユニットに跨っている１つの物品に関する情報を検出するための検出手段が配置されており、更に、前記１つの物品を載せた前記１又は複数の搬送ユニットが前記仕分箇所に到達したときに、前記検出手段からの情報に基づいて、前記１つの物品に対応した全ての搬送ユニットの仕分機構を同期して作動させる制御手段を備えているので、前記搬送コンベヤライン中の前記仕分箇所にて、仕分対象となる物品の大きさに合わせて各前記搬送ユニットの仕分機構を作動でき、例えば複数の搬送ユニットに跨って載置された物品であっても、前記搬送コンベヤラインと交差する方向にスムーズ且つ確実に搬出できる。
【００１３】
従って、１つの搬送ユニットより大きいサイズの物品も搬送・仕分できるから、従来の物品仕分装置に比べて、その用途（適用範囲）が飛躍的に拡大し、汎用性が向上するという効果を奏する。
【００１４】
また、１つの搬送ユニットに１つの物品を載せたり、複数の搬送ユニットに跨って１つの物品を載せたりできるので、物品の大きさにある程度のばらつきがあっても、前記搬送コンベヤラインに対する物品の載置効率（スペース効率）を高められる。その結果、仕分作業効率や物品仕分装置のランニングコストの点でも高い効果を発揮できる。
【００１５】
請求項２〜５の発明は、請求項１の発明に係る物品仕分装置の構成をより具体化したものであり、いずれの発明でも請求項１の作用効果を確実に奏することができる。
【００１６】
特に請求項５の発明では、前記仕分機構は、前記仕分箇所から分岐した分岐コンベヤラインに物品を搬送する無端帯手段を備えており、前記無端帯手段の下部側には、前記搬送コンベヤラインと交差する方向に往復動して前記無端帯手段を作動させる駆動シューが取り付けられている一方、前記仕分箇所には、前記駆動シューのガイドピンを前記分岐コンベヤラインから離れる方向に案内するための複数の案内プレートが配置されており、前記各案内プレートの延長線上又はその近傍の箇所には、前記ガイドピンを前記案内プレートの方へ送り込む作用姿勢と非作用姿勢とに姿勢変更可能な切換手段が配置されている。
【００１７】
かかる構成において、前記切換手段が作用姿勢のときは、前記搬送コンベヤラインの搬送上流側から移動してきた搬送ユニットのガイドピンは前記切換手段に追突したのち、前記搬送ユニットを搬送方向に沿って移動させる力の分力にて、前記切換手段及び前記案内プレートに沿いながら前記分岐コンベヤラインから離れる方向にスライド移動し、前記無端帯手段の下部側に取り付けられた前記駆動シューを前記分岐コンベヤラインから離れる方向に移動させる。その結果、前記無端帯手段の上部側が前記分岐コンベヤラインに向かう方向に移動して、前記無端帯手段上の物品を前記分岐コンベヤラインに搬出するのである。
【００１８】
このような構成を採用すると、個々の搬送ユニットに前記無端帯手段駆動用のアクチュエータやその制御装置を設ける必要がないから、構造が簡単になると共に部品点数を少なくできる。従って、製造コストの抑制に寄与するという効果を奏する。
【００１９】
また、請求項５の発明では、前記各案内プレートが、前記ガイドピンの前記案内プレートに沿っての移動を補助する補助案内手段を備えているので、前記搬送ユニットを搬送方向に沿って移動させる力の分力と前記補助案内手段の送り作用との両方を、前記ガイドピンが前記分岐コンベヤラインから離れる方向にスライド移動するときの駆動力として活用できる。従って、前記ガイドピンのスライド移動が確実且つスムーズになるという効果を奏する。
【発明を実施するための最良の形態】
【００２０】
以下に、本願発明を具体化した実施形態を図面に基づいて説明する。
【００２１】
（１）．第１実施形態
図１〜図８は本願発明に係る物品仕分装置の第１実施形態である。図１は第１実施形態における物品仕分装置の概略平面図、図２は搬送ユニットを取り外した状態での物品仕分装置の概略平面図、図３は図１のＩＩＩ−ＩＩＩ視側断面図、図４はクロスベルトを仕分け方向に回行移動させる機構の拡大平面図、図５は図４のＶ−Ｖ視側断面図、図６は図４のＶＩ−ＶＩ視側断面図、図７は物品仕分装置の機能ブロック図、図８は仕分制御態様の一例を示すフローチャートである。
【００２２】
図１及び図２に示すように、第１実施形態の物品仕分装置１は、多数の搬送ユニット３を一列状に並べて搬送する搬送コンベヤライン２と、この搬送コンベヤライン２から分岐した少なくとも１つの分岐コンベヤライン４と、搬送コンベヤライン２における最上流の分岐コンベヤライン４との分岐箇所よりも搬送上流側に配置された検出手段としての物品位置検出センサ５と、各コンベヤライン２，４や後述するクロスベルトソータ１１の駆動制御を司る制御手段としてのコントローラ６（図７参照）とを備えている。
【００２３】
図２及び図３に示すように、搬送コンベヤライン２は、その長手方向に沿って延びる左右一対の走行レール７を備えている。これら走行レール７上に、台車タイプの搬送ユニット３の群が走行可能に配置されている。
【００２４】
詳細は図示していないが、搬送ユニット３の群は、搬送コンベヤライン２の長手両端部にある駆動スプロケット及び従動スプロケットに巻回された無端チェーンに、所定のピッチ間隔にて連結されている。これらスプロケット及びチェーンの駆動にて、搬送ユニット３の群が搬送コンベヤライン２を循環移動する構成になっている。この場合、搬送コンベヤライン２の上部側では、搬送ユニット３の群は搬送コンベヤライン２の搬送方向Ｘに沿って移動する。
【００２５】
なお、搬送コンベヤライン２の上部側のうち分岐コンベヤライン４の反対側に位置するの略半部は、搬送コンベヤライン２の長手方向に沿って延びるカバー板８にて覆われている。また、各走行レール７の左右外側には、搬送ユニット３を支持する車輪９の落下防止のための安全ガード板１０が取り付けられている（図３参照）。
【００２６】
図３に示すように、各搬送ユニット３は、搬送コンベヤライン２中における所定の仕分箇所（分岐コンベヤライン４との分岐箇所）にて、搬送方向Ｘと交差する仕分け方向Ｙに搬送ユニット３上の物品Ｍを送り出す仕分機構としてのクロスベルトソータ１１を有している。
【００２７】
第１実施形態のクロスベルトソータ１１は、搬送ユニット３における一対のフレーム板１２の間に回転可能に軸支された回動ローラ１３対と、これら回動ローラ１３対に巻き掛けられた無端帯手段としてのクロスベルト１４とを備えている。
【００２８】
回動ローラ１３対は搬送方向Ｘに沿って互いに平行状に延びている。このため、クロスベルト１４は搬送方向Ｘと交差する方向（仕分け方向Ｙとその逆方向）に回行移動可能となっている。
【００２９】
クロスベルト１４の下部側には、搬送方向Ｘと交差する方向に往復動してクロスベル１４を回行移動させるためのベルト駆動シュー１５が取り付けられている。ベルト駆動シュー１５の下面にはガイドピン１６が突設されている。この場合、ベルト駆動シュー１５を仕分け方向Ｙと逆方向に移動させると、これに連動してクロスベルト１４の上部側が仕分け方向Ｙに移動する。
【００３０】
クロスベルト１４の上部側のうち平面視でカバー板８から露出した箇所には、果実や野菜等の物品Ｍが載置される。従って、クロスベルト１４上の物品Ｍは、当該クロスベルト１４の仕分け方向Ｙに向けての回行移動にて分岐コンベヤライン４に搬出される。
【００３１】
第１実施形態では、分岐コンベヤライン４の幅寸法や後述する案内プレート１９の個数等の関係上、搬送ユニット３の群に載置して搬送・仕分可能な物品Ｍは、最大で４つの搬送ユニット３に跨る長さ（大きさ）のものまでとなっている。
【００３２】
なお、クロスベルトソータ１１の内部には、クロスベルト１４の上部側を下方から支持する支持板１７が配置されている。支持板１７はクロスベルト１４上の物品Ｍの重量を受け止めるためのものであり、一対のフレーム板１２の内面側に固着されている。
【００３３】
図２及び図３に示すように、搬送コンベヤライン２における一対の走行レール７の間のうち分岐コンベヤライン４寄りの箇所には、搬送方向Ｘに沿って延びる上向き開放の溝状経路１８が設けられている。当該溝状経路１８は、各搬送ユニット３の搬送方向Ｘに沿っての移動にてベルト駆動シュー１５のガイドピン１６を搬送方向Ｘに案内するためのものである。
【００３４】
他方、搬送コンベヤライン２中における所定の仕分箇所には、搬送ユニット３の搬送方向Ｘに沿っての移動にてガイドピン１６を仕分け方向Ｙと逆方向に案内するための複数の案内プレート１９が配置されている（図２〜図５参照）。
【００３５】
第１実施形態では、４列１組の案内プレート１９のグループを１つの分岐コンベヤライン４に対応させている。各案内プレート１９は、平面視で搬送コンベヤライン２の搬送下流側に行くに連れて分岐コンベヤライン４から離れる斜め方向に傾斜している。また、１グループの案内プレート１９は、搬送方向Ｘに沿ったガイドピン１６の並び間隔と同じ間隔にて並べられている。各案内プレート１９における分岐コンベヤライン４寄りの一端部は、溝状経路１８の適宜箇所に形成された連通隙間２０（図２参照）に臨ませている。
【００３６】
なお、図２では、説明の便宜上、各案内プレート１９に対して搬送下流側から順に符号ａ，ｂ，ｃ，ｄを付している。
【００３７】
各案内プレート１９の延長線上又は延長線上に近い箇所、すなわち前述した連通隙間２０の箇所には、切換手段としての切換プレート２１が配置されている。第１実施形態の切換プレート２１は略Ｌ字板状に形成されており、その基部２１ａが連通隙間２０の箇所に立設されたブラケット板２２に横向きの回動軸２３にて上下揺動回動可能に取り付けられている。
【００３８】
切換プレート２１の基部２１ａは、ブラケット板２２のうち切換プレート２１よりも下方に配置されたアクチュエータとしての電磁ソレノイド２４に連結されている。すなわち、切換プレート２１は電磁ソレノイド２４の駆動にて選択的に上下揺動回動可能に構成されている。
【００３９】
切換プレート２１のうち基部２１ａから上向きに突出した仕切り板部２１ｂは、回動軸２３回りの上下揺動回動にて、溝状経路１８を遮断してガイドピン１６を案内プレート１９に向けて送り込む作用姿勢（図３及び図６の実線状態参照）と、そのまま溝状経路１８に沿ってガイドピン１６を通過させる非作用姿勢（図６の二点鎖線状態参照）とに姿勢変更する構成になっている。
【００４０】
第１実施形態では、切換プレート２１が上向き揺動回動した作用姿勢のときは、仕切り板部２１ｂと案内プレート１９とが平面視で略直列状に並ぶように設定されている（図２及び図４参照）。
【００４１】
なお、図２では、切換プレート２１についても、第１案内プレート１９ａに対応するものには符号ａを、第２案内プレート１９ｂに対応するものには符号ｂを、第３案内プレート１９ｃに対応するものには符号ｃを、第４案内プレート１９ｄに対応するものには符号ｄを付している。
【００４２】
切換プレート２１が上向き揺動回動した作用姿勢のときは、溝状経路１８における連通隙間２０の箇所が切換プレート２１の仕切り板部２１ｂにて遮断されるため、搬送コンベヤライン２の搬送上流側から移動してきた搬送ユニット３のガイドピン１６は切換プレート２１の仕切り板部２１ｂに追突する（図４に示すガイドピン１６の一点鎖線状態参照）。
【００４３】
そうすると、ガイドピン１６の搬送方向Ｘへの移動は遮られるが、搬送ユニット３はそのまま搬送方向Ｘに沿って移動するので、搬送ユニット３を搬送方向Ｘに沿って移動させる力Ｆのうち仕切り板部２１ｂに沿った斜め方向Ｓの分力Ｆ１にて、ガイドピン１６は仕切り板部２１ｂ及び案内プレート１９に沿いながら斜め方向Ｓにスライド移動する（図４に示すガイドピン１６の二点鎖線状態参照）。
【００４４】
ガイドピン１６が斜め方向Ｓにスライド移動すると、クロスベルト１４の下部側に取り付けられたベルト駆動シュー１５が仕分け方向Ｙと逆方向に移動し、これに連動してクロスベルト１４の上部側が仕分け方向Ｙに移動する。その結果、クロスベルト１４上の物品Ｍが分岐コンベヤライン４に送り出されるのである。
【００４５】
以上の構成によると、個々の搬送ユニット３にクロスベルト１４駆動用のアクチュエータやその制御装置を設ける必要がないから、構造が簡単になると共に部品点数を少なくできる。従って、製造コストの抑制に寄与するという効果を奏する。
【００４６】
なお、切換プレート２１の仕切り板部２１ｂとブラケット板２２の下部との間には引張りばね２５が装架されている。このため、切換プレート２１は、引張りばね２５の弾性復原力にて下向き揺動の非作用姿勢となるように常時付勢されている。
【００４７】
また、詳細は図示していないが、搬送コンベヤライン２における最下流の仕分箇所よりも更に搬送下流側には、各搬送ユニット３のガイドピン１６を溝状経路１８に対応する元の位置に戻すための戻し案内プレートが配置されている。
【００４８】
図２〜図５に示すように、各案内プレート１９には、ガイドピン１６の案内プレート１９に沿った斜め方向Ｓの移動を補助する補助案内手段としての補助ベルト機構２６が関連して設けられている。従って、第１実施形態では、４つ１組の補助ベルト機構２６のグループも１つの分岐コンベヤライン４に対応している。
【００４９】
なお、図２では、補助ベルト機構２６についても、第１案内プレート１９ａに対応するものには符号ａを、第２案内プレート１９ｂに対応するものには符号ｂを、第３案内プレート１９ｃに対応するものには符号ｃを、第４案内プレート１９ｄに対応するものには符号ｄを付している。
【００５０】
第１実施形態の補助ベルト機構２６は、案内プレート１９における長手両端部の近傍に回転可能に立設された縦向きの駆動軸２７及び従動軸２８、駆動軸２７に固着された二連プーリ２９、二連プーリ２９のうち上プーリ３０と従動軸２８とに巻き掛けられた補助ベルト３２とを備えている。この場合、補助ベルト３２のうち搬送コンベヤライン２の搬送上流側に位置する部位は、案内プレート１９における前記搬送上流側を向いた平坦面に重なっている。
【００５１】
同グループの補助ベルト機構２６のうち最下流のものの駆動軸２７は、搬送コンベヤライン２内に配置された駆動モータ３３（図２参照）から上向きに突出している。また、合計４つの下プーリ３１には伝動ベルト３４が巻き掛けられている。なお、伝動ベルト３４は、その外周側で且つ隣り合う二連プーリ２９の間に配置された複数のテンションプーリ３５にて緊張力を付与されている。
【００５２】
駆動モータ３３から突出した駆動軸２７（最下流のもの）の回転動力は、これに対応する下プーリ３１及び伝動ベルト３４を介して、その他の下プーリ３１及び駆動軸２７に伝達される。そして、各駆動軸２７の回転動力が上プーリ３０を介して補助ベルト３２を循環移動させる。この場合、各補助ベルト３２は常時、図２及び図４の平面視で反時計回りに循環移動する設定になっている。従って、補助ベルト３２のうち案内プレート１９と重なる部位は、案内プレート１９に沿った斜め方向Ｓに移動する。
【００５３】
以上のように、各案内プレート１９に補助ベルト機構２６を関連して設けるという構成を採用すると、溝状経路１８から案内プレート１９に向けて送り出されたガイドピン１６は、補助ベルト３２のうち案内プレート１９と重なる部位に搬送コンベヤライン２の搬送上流側から当接する。前述の通り、補助ベルト３２のうち案内プレート１９と重なる部位は常時、案内プレート１９に沿った斜め方向Ｓに移動するので、搬送ユニット３を搬送方向Ｘに沿って移動させる力Ｆの分力Ｆ１と補助ベルト３２の送り作用との両方が、ガイドピン１６を斜め方向Ｓにスライド移動させるための駆動力になる。従って、ガイドピン１６の斜め方向Ｓのスライド移動が確実且つスムーズになるという効果を奏する。
【００５４】
図１及び図７に示すように、搬送コンベヤライン２における最上流の分岐コンベヤライン４との分岐箇所よりも搬送上流側に配置された物品位置検出センサ５は、搬送コンベヤライン２を挟んで両側に振り分けられた投光器３６及び受光器３７とからなる光遮断式のものである。物品位置検出センサ５は、投光器３６及び受光器３７間の物品Ｍの通過による遮光にて物品Ｍの輪郭を捉え、その搬送方向Ｘに沿った長さＬ（大きさ、形態情報）を検出するように構成されている。物品位置検出センサ５は制御手段としてのコントローラ６に電気的に接続されている。
【００５５】
第１実施形態では、任意の基準点からの各搬送ユニット３の移動距離を検出するためのロータリエンコーダ３８（図７参照）が搬送コンベヤライン２における駆動スプロケットの支軸（図示せず）に関連して設けられている。このロータリエンコーダ３８もコントローラ６に電気的に接続されている。
【００５６】
コントローラ６は、１つの物品Ｍを載せた１又は複数の搬送ユニット３が搬送コンベヤライン２中における所定の仕分箇所に到達したときに、物品位置検出センサ５からの形態情報に基づいて１つの物品Ｍに対応した全ての搬送ユニット３のクロスベルトソータ１１を同期して作動させるという制御を実行するためのものである。
【００５７】
第１実施形態のコントローラ６は、ロータリエンコーダ３８からのパルス数の計数にて、１つの物品Ｍ全体が投光器３６及び受光器３７間を通り抜けるまでの各搬送ユニット３の移動距離を求めることにより、物品Ｍの搬送方向Ｘに沿った長さＬを計測する機能を有している。また、当該コントローラ６は、１つの物品Ｍの少なくとも一部が載り掛かっている搬送ユニット３を全て特定したり、特定された搬送ユニット３と各切換プレート２１との距離を割り出したりする機能をも有している。
【００５８】
コントローラ６には、前述の物品位置検出センサ５やロータリエンコーダ３８のほか、各グループの補助ベルト機構２６の駆動モータ３３、各切換プレート２１駆動用の電磁ソレノイド２４及び搬送コンベヤライン２の駆動スプロケットを回転駆動させるためのアクチュエータ（図示せず）等がそれぞれ接続されている。
【００５９】
次に、図８のフローチャートを参照しながら、第１実施形態における仕分制御態様の一例について説明する。ここでは、仕分する物品Ｍが隣り合う３つの搬送ユニット３ａ，３ｂ，３ｃに跨る長さＬのものである場合を例示する（図２参照）。
【００６０】
まず、物品仕分装置１の電源スイッチ（図示せず）を入り操作して、各コンベヤライン２，４や補助ベルト機構２６を作動させると共に、搬送コンベヤライン２の駆動スプロケットに関連したロータリエンコーダ３８からのパルス数のカウントを開始する（ステップＳ１）。
【００６１】
次いで、搬送コンベヤライン２における１又は複数の搬送ユニット３上に載置された物品Ｍの先端部が物品位置検出センサ５の箇所（投光器３６及び受光器３７の間）に到達して遮光開始したか否かを判別する（ステップＳ２）。物品Ｍの先端部が投光器３６及び受光器３７の間に到達していないときは（Ｓ２：ＮＯ）、このまま待機するために再びステップＳ２に戻る。
【００６２】
物品Ｍの先端部が投光器３６及び受光器３７の間に到達したときは（Ｓ２：ＹＥＳ）、次いで、ロータリエンコーダ３８からのパルス数の計数により、物品Ｍ全体が投光器３６及び受光器３７間を通り抜けるまでの各搬送ユニット３の移動距離を求めて、物品Ｍの搬送方向Ｘに沿った長さＬを計測すると共に、物品Ｍの長さＬ及びロータリエンコーダ３８からのパルス数の関係から、物品Ｍの少なくとも一部が載り掛かっている搬送ユニット３を全て特定する（ステップＳ３）。例えば図２の場合では、物品Ｍが跨って載置されている３つの搬送ユニット３ａ，３ｂ，３ｃを特定することになる。
【００６３】
次いで、ロータリエンコーダ３８からのパルス数の計数に基づいて、物品Ｍが載置されている搬送ユニット３の群のうち最先行の搬送ユニット３ａのガイドピン１６が搬送コンベヤライン２における所定の仕分箇所にある最下流の切換プレート２１ａの直前位置に到達したか否かを判別する（ステップＳ４）。最先行の搬送ユニット３ａのガイドピン１６が最下流の切換プレート２１ａの直前位置に到達していないときは（Ｓ４：ＮＯ）、このまま待機するために再びステップＳ４に戻る。
【００６４】
最先行の搬送ユニット３ａのガイドピン１６が最下流の切換プレート２１ａの直前位置に到達したときは（Ｓ４：ＹＥＳ）、物品Ｍの少なくとも一部が載り掛かっている全ての搬送ユニット３に対応する分の電磁ソレノイド２４を駆動させて、各切換プレート２１を上向き揺動した作用姿勢に切り換える（ステップＳ５）。例えば図２の場合では、物品Ｍが３つの搬送ユニット３ａ，３ｂ，３ｃに跨っているので、これら搬送ユニット３ａ，３ｂ，３ｃに対応する電磁ソレノイド２４を駆動させて、３つの切換プレート２１ａ，２１ｂ，２１ｃを作用姿勢にすることになる。
【００６５】
そうすると、３つの搬送ユニット３のガイドピン１６が切換プレート２１の仕切り板部２１ｂに追突したのち、切換プレート２１の仕切り板部２１ｂ及び案内プレート１９に沿いながら斜め方向Ｓにスライド移動する。そして、３つのクロスベルト１４の下部側に取り付けられたベルト駆動シュー１５が仕分け方向Ｙと逆方向に同期して移動することにより、各クロスベルト１４の上部側が仕分け方向Ｙに同期して移動する。その結果、３つのクロスベルト１４（クロスベルトソータ１１）に跨って載置されているの長さＬの物品Ｍが分岐コンベヤライン４にスムーズに送り出される。
【００６６】
各切換プレート２１を上向き揺動した作用姿勢に切り換えた後は、所定時間が経過してから、作用姿勢になっている切換プレート２１に対応した電磁ソレノイド２４を駆動させて、各切換プレート２１を下向き揺動した非作用姿勢に戻す（ステップＳ６）。
【００６７】
以上のように制御すると、１つの物品Ｍを載せた１又は複数の搬送ユニット３が搬送コンベヤライン２中における所定の仕分箇所に到達したときに、物品位置検出センサ５からの形態情報に基づいて１つの物品Ｍに対応した全ての搬送ユニット３のクロスベルトソータ１１を同期して作動させるので、搬送コンベヤライン２中における所定の仕分箇所にて、仕分対象となる物品Ｍの長さＬ（大きさ）に合わせて各搬送ユニット３のクロスベルトソータ１１を作動でき、例えば複数の搬送ユニット３に跨って載置された物品Ｍであっても、スムーズ且つ確実に分岐コンベヤライン４に搬出できる。第１実施形態では、最大４つの搬送ユニット３のクロスベルトソータ１１を同期して作動できるので、最大４つの搬送ユニット３に跨る長さＬの物品Ｍまで搬送・仕分できる。
【００６８】
従って、１つの搬送ユニット３より大きいサイズの物品Ｍも搬送・仕分できるから、従来のクロスベルト式コンベヤに比べて、その用途（適用範囲）が飛躍的に拡大し、汎用性が向上するという効果を奏する。
【００６９】
また、１つの搬送ユニット３に１つの物品を載せたり、複数の搬送ユニット３に跨って１つの物品を載せたりできるので、物品の長さＬ（大きさ）にある程度のばらつきがあっても、搬送コンベヤライン２に対する物品Ｍの載置効率（スペース効率）を高められる。その結果、仕分作業効率や物品仕分装置のランニングコストの点でも高い効果を発揮できるのである。
【００７０】
ところで、第１実施形態では、図８に示すフローチャートのステップＳ３において、物品位置検出センサ５の検出情報（遮光時間の情報）とロータリエンコーダ３８からのパルス数の計数とに基づいて、物品Ｍの長さＬを計測すると共に、物品Ｍの長さＬ及びロータリエンコーダ３８からのパルス数の関係に基づいて、物品Ｍが載っている搬送ユニット３を全て特定しているが、搬送ユニット３を特定する制御態様は上記の実施形態に限定されない。
【００７１】
例えば第１実施形態の別例として、次のように制御してもよい。すなわち、図８に示すフローチャートのステップＳ３において、物品位置検出センサ５の検出情報（遮光時間の情報）とロータリエンコーダ３８からのパルス数の計数とに基づいて、１つの物品Ｍの始端位置及び終端位置に対応した搬送ユニット３を特定する。そして、ステップＳ５において、ステップＳ３にて特定された２つの搬送ユニット３及びその間にある搬送ユニット３に対応する分の電磁ソレノイド２４を駆動させて、各切換プレート２１を上向き揺動した作用姿勢に切り換えることにより、特定された２つの搬送ユニット３及びその間にある搬送ユニット３のクロスベルトソータ１１を同期して作動させるのである。これは請求項３に対応した実施形態になる。このように制御した場合も、第１実施形態と同様の作用効果が得られる。
【００７２】
（２）．第２実施形態
図９及び図１０は本願発明の請求項４に対応した第２実施形態である。図９は第２実施形態における物品仕分装置の機能ブロック図、図１０は仕分制御態様の一例を示すフローチャートである。
【００７３】
第２実施形態では、物品位置検出センサ５に代えて、１又は複数の搬送ユニット３上にある物品Ｍを撮像する撮像手段としてのビデオカメラ３９を検出手段として採用している点において、第１実施形態のものと大きく相違している。
【００７４】
ビデオカメラ３９は、第１実施形態の物品位置検出センサ５と同様に、搬送コンベヤライン２における最上流の分岐コンベヤライン４との分岐箇所よりも搬送上流側に配置されている。ビデオカメラ３９よりも更に搬送上流側には、物品Ｍが通過したか否かを検出するための物品通過センサ４０が配置されている。
【００７５】
第２実施形態の物品仕分装置１では、搬送コンベヤライン２の駆動にてビデオカメラ３９の直前位置に物品Ｍが到来したことを物品通過センサ４０が感知したときに、この物品Ｍをビデオカメラ３９にて撮像し、この撮像にて得られた画像情報をコントローラ４１に伝送するように構成されている。
【００７６】
コントローラ４１は、１つの物品Ｍを載せた１又は複数の搬送ユニット３が搬送コンベヤライン２中における所定の仕分箇所に到達したときに、後述する画像処理の結果に基づいて、１つの物品Ｍに対応した全ての搬送ユニット３のクロスベルトソータ１１を同期して作動させるという制御を実行するものである。
【００７７】
コントローラ４１には、前述のビデオカメラ３９、物品通過センサ４０及びロータリエンコーダ３８のほか、各グループの補助ベルト機構２６の駆動モータ３３、各切換プレート２１駆動用の電磁ソレノイド２４及び搬送コンベヤライン２の駆動スプロケットを回転駆動させるためのアクチュエータ（図示せず）等がそれぞれ接続されている。その他の構成は第１実施形態と略同様である。
【００７８】
次に、図１０のフローチャートを参照しながら、第２実施形態における仕分制御態様の一例について説明する。ここでも、仕分する物品Ｍが隣り合う３つの搬送ユニット３ａ，３ｂ，３ｃに跨る長さＬのものである場合を例示する（図２参照）。
【００７９】
第２実施形態の仕分制御では、基本的に第１実施形態において物品位置検出センサ５が発揮した機能を撮像手段としてのビデオカメラ３９に肩代りさせているだけである。
【００８０】
すなわち、物品仕分装置１の電源スイッチ（図示せず）を入り操作して、各コンベヤライン２，４や補助ベルト機構２６を作動させ、搬送コンベヤライン２の駆動スプロケットに関連したロータリエンコーダ３８からのパルス数のカウントを開始する（ステップＴ１）。
【００８１】
次いで、搬送コンベヤライン２における１又は複数の搬送ユニット３上に載置された物品Ｍが物品通過センサ４０の箇所に到達したか否かを判別する（ステップＴ２）。物品Ｍが物品通過センサ４０の箇所に到達していないときは（Ｔ２：ＮＯ）、このまま待機するために再びステップＴ２に戻る。
【００８２】
物品Ｍが物品通過センサ４０の箇所に到達したときは（Ｔ２：ＹＥＳ）、次いで、ビデオカメラ３９にて物品Ｍを撮像する（ステップＴ３）。この撮像にて得られた画像情報はビデオカメラ３９からコントローラ４１に伝送され、当該コントローラ４１内のＲＡＭ（随時読み書き可能メモリ）に記憶される。
【００８３】
次いで、前述の画像情報を画像処理（二値化等）して、この画像処理の結果から物品Ｍの重心位置と搬送方向に沿った長さＬ（大きさ）とを求めると共に、物品Ｍの重心位置、長さＬ、及びロータリエンコーダ３８からのパルス数との関係から、物品Ｍの少なくとも一部が載り掛かっている搬送ユニット３を全て特定する（ステップＴ４）。図２の場合では、物品Ｍが跨って載置されている３つの搬送ユニット３ａ，３ｂ，３ｃを特定することになる。
【００８４】
図１０に示すステップＴ５〜Ｔ７の制御態様は、第１実施形態におけるステップＳ４〜Ｓ６の制御態様（図８参照）と変わらないので、その詳細な説明を省略する。以上のように制御した場合も、第１実施形態と同様の作用効果が得られるのである。
【００８５】
（３）．その他
本願発明は、前述の実施形態に限らず、果実や野菜等の農産物以外の様々な種類の物品を搬送・仕分する物品仕分装置として広く適用できる。また、物品の種類や大きさ等に応じて、分岐コンベヤライン４の幅寸法や案内プレート１９及び切換プレート２１の個数等は適宜設定できる。
【００８６】
その他、各部の構成は図示の実施形態に限定されるものではなく、本願発明の趣旨を逸脱しない範囲で種々変更が可能である。
【図面の簡単な説明】
【００８７】
【図１】第１実施形態における物品仕分装置の概略平面図である。
【図２】搬送ユニットを取り外した状態での物品仕分装置の概略平面図である。
【図３】図１のＩＩＩ−ＩＩＩ視側断面図である。
【図４】クロスベルトを仕分け方向に回行移動させる機構の拡大平面図である。
【図５】図４のＶ−Ｖ視側断面図である。
【図６】図４のＶＩ−ＶＩ視側断面図である。
【図７】物品仕分装置の機能ブロック図である。
【図８】仕分制御態様の一例を示すフローチャートである。
【図９】第２実施形態における物品仕分装置の機能ブロック図である。
【図１０】仕分制御態様の一例を示すフローチャートである。
【符号の説明】
【００８８】
１  物品仕分装置
２  搬送コンベヤライン
３  搬送ユニット
４  分岐コンベヤライン
５  検出手段としての物品位置検出センサ
６，４１  制御手段としてのコントローラ
１１  仕分機構としてのクロスベルトソータ
１４  無端帯手段としてのクロスベルト
１５  ベルト駆動シュー
１６  ガイドピン
１８  溝状経路
１９  案内プレート
２０  連通隙間
２１  切換プレート
２１ｂ  仕切り板部
２３  回動軸
２４  電磁ソレノイド
２６  補助ベルト機構
２７  駆動軸
２８  従動軸
２９  二連プーリ
３２  補助ベルト
３３  駆動モータ
３４  伝動ベルト
３６  投光器
３７  受光器
３９  撮像手段としてのビデオカメラ
【図１】
2008120487.tif 000003
【図２】
2008120487.tif 000004
【図３】
2008120487.tif 000005
【図４】
2008120487.tif 000006
【図５】
2008120487.tif 000007
【図６】
2008120487.tif 000008
【図７】
2008120487.tif 000009
【図８】
2008120487.tif 000010
【図９】
2008120487.tif 000011
【図１０】
2008120487.tif 000012